(57)【要約】【課題】  熱交換器のパネルの取り付け及び取り外し共に容易に行える室外ユニットの梱包装置を提供する。【解決手段】  筐体の側面にフィンアンドチューブ式の熱交換器の表面が露出する室外ユニットの梱包装置において、前記熱交換器の表面を覆うダンボール板を備え、前記ダンボール板は、下端を前記筐体の下枠と前記熱交換器の表面との間に差し込むと共に、上端を前記筐体の上枠と前記熱交換器の表面との間に差し込んで固定し、前記ダンボール板の両端に、手前に折り返される取っ手を備えた。【選択図】      図５
2006123956.tif 000002
【特許請求の範囲】
【請求項１】
筐体の側面にフィンアンドチューブ式の熱交換器の表面が露出する室外ユニットの梱包装置において、
前記熱交換器の表面を覆うダンボール板を備え、前記ダンボール板は、下端を前記筐体の下枠と前記熱交換器の表面との間に差し込むと共に、上端を前記筐体の上枠と前記熱交換器の表面との間に差し込んで固定し、前記ダンボール板の両端に、手前に折り返される取っ手を備えたことを特徴とする室外ユニットの梱包装置。
【請求項２】
前記筐体は、全体をシートで被せられ、前記シートの上から前記筐体を縛るバンドにより、前記室外ユニットと前記シートとを固定することを特徴とする請求項１に記載の室外ユニットの梱包装置。
【請求項３】
前記下枠は、前記筐体のドレンパンにより形成されることを特徴とする請求項１又は２に記載の室外ユニットの梱包装置。
【請求項４】
前記上枠は、前記筐体の天板により形成されることを特徴とする請求項１乃至３に記載の室外ユニットの梱包装置。
【請求項５】
前記ダンボール板の目が縦に延びる状態で使用され、前記上枠、前記下枠間に前記ダンボール板を挟み込む場合に、前記ダンボール板を折り曲げる屈曲部が、横方向に延びて形成されることを特徴とする請求項１乃至４に記載の室外ユニットの梱包装置。
【請求項６】
前記屈曲部が、前記ダンボール板の上端寄りに形成されていることを特徴とする請求項５に記載の室外ユニットの梱包装置。
【発明の詳細な説明】
【技術分野】
【０００１】
本発明は、熱交換器の表面が露出した室外ユニットの梱包装置に関する。
【背景技術】
【０００２】
空気調和装置の室外機として、フィンアンドチューブ式の熱交換器、送風機、圧縮機等を収納した室外ユニットが一般に知られている。従来、この室外ユニットの梱包装置として、室外ユニットの吸気側開口部に位置する熱交換器の表面に、テープ等によりダンボール板等のパネルを固定し、ユニット本体の天部から底部にかけてポリエチレン等によって形成されたシートを被せ、このシートの上から胴部を縛るバンドにより、ユニット本体とシートとを固定することにより梱包する室外ユニットの梱包装置等が提案されている（例えば、特許文献１）。
【特許文献１】特開平９−１１８３８６号公報
【発明の開示】
【発明が解決しようとする課題】
【０００３】
しかしながら、従来の構成では熱交換器のパネルの固定に、テープ等を用いているため、パネルの取り付け及び取り外し共に多大な労力がかかっていた。また、熱交換器は多数の薄いフィンにより構成されている。作業者が熱交換器のパネルを取り外す場合、パネルと熱交換器の間に指を入れてパネルを引き出すため、作業者の手指がこの薄いフィンに触れる恐れがあった。
そこで、本発明の目的は、上述した従来の技術が有する課題を解消し、熱交換器のパネルの取り付け及び取り外し共に容易に行える室外ユニットの梱包装置を提供することにある。
【課題を解決するための手段】
【０００４】
本発明は、筐体の側面にフィンアンドチューブ式の熱交換器の表面が露出する室外ユニットの梱包装置において、前記熱交換器の表面を覆うダンボール板を備え、前記ダンボール板は、下端を前記筐体の下枠と前記熱交換器の表面との間に差し込むと共に、上端を前記筐体の上枠と前記熱交換器の表面との間に差し込んで固定し、前記ダンボール板の両端に、手前に折り返される取っ手を備えたことを特徴とする。
【０００５】
この場合において、前記筐体は、全体をシートで被せられ、前記シートの上から前記筐体を縛るバンドにより、前記室外ユニットと前記シートとを固定してもよい。前記下枠は、前記筐体のドレンパンにより形成されてもよい。前記上枠は、前記筐体の天板により形成されてもよい。前記ダンボール板の目が縦に延びる状態で使用され、前記上枠、前記下枠間に前記ダンボール板を挟み込む場合に、前記ダンボール板を折り曲げる屈曲部が、横方向に延びて形成されてもよい。前記屈曲部が、前記ダンボール板の上端寄りに形成されてもよい。
【発明の効果】
【０００６】
本発明では、開口部に熱交換器が露出する構成の室外ユニットを、容易に梱包することができる。
【発明を実施するための最良の形態】
【０００７】
以下、図面を参照して本発明の一実施形態を説明する。
図１において、１は空気調和装置を示す。この空気調和装置１は、複数台（２台）の室外ユニット２Ａ、２Ｂと、複数台（２台）の室内ユニット３Ａ、３Ｂとを備えている。この空気調和装置１では、室外ユニット２Ａ、２Ｂと室内ユニット３Ａ、３Ｂとを接続する冷媒配管５が、低圧ガス管６と、高圧ガス管７と、液管８とから構成され、室内ユニット３Ａ、３Ｂを同時に冷房運転若しくは暖房運転可能とし、または、これらの冷房運転（ドライ運転を含む）と暖房運転とを混在して実施可能としている。
【０００８】
室内ユニット３Ａは、室内熱交換器（利用側熱交換器）１０と膨張弁（減圧装置）１１とを備えて構成され、この室内熱交換器１０の一端は、膨張弁１１を介して液管８に配管接続されている。また、室内熱交換器１０の他端には、分岐管１２が接続され、この分岐管１２は、高圧ガス分岐管１２Ａと低圧ガス分岐管１２Ｂとに分岐し、一方の高圧ガス分岐管１２Ａは第１開閉弁（例えば、電磁弁）１３を介して高圧ガス管７に接続され、他方の低圧ガス分岐管１２Ｂは第２開閉弁（例えば、電磁弁）１４を介して低圧ガス管６に接続されている。また、室内ユニット３Ａには、室外熱交換器２１の出入口温度や室温を検出する温度センサ等が配置される他、これらセンサの検出結果を入力してこの室内ユニット３Ａの制御を行う室内制御装置（図示せず）を備えている。
室内ユニット３Ｂは、室内ユニット３Ａと略同一の構成であるため、同一の部分に同一の符号を付して示し、重複する説明は省略する
【０００９】
図２は、室外ユニット２Ａの構成を拡大して示す回路図である。なお、室外ユニット２Ｂは略同様の構成であり、その説明を省略する。
室外ユニット２Ａは、能力可変型の圧縮機（ＤＣインバーター圧縮機）２０Ａと、能力一定型の圧縮機（ＡＣ圧縮機）２０Ｂ１、２０Ｂ２と、オイルセパレーター２５と、フィンアンドチューブ式の室外熱交換器（熱源側熱交換器）２１と、膨張弁２６と、レシーバータンク２３等から概略構成されている。以下、各圧縮機２０Ａ、２０Ｂ１、２０Ｂ２を特に区別する必要がない場合は、圧縮機２０と表記する。
【００１０】
各圧縮機２０Ａ、２０Ｂ１、２０Ｂ２は、圧縮動作時に内部が高圧となる高圧容器の圧縮機であり、一の圧縮機２０の高圧部（高圧容器内）と他の圧縮機２０の低圧部（吸込管内）とがオイル管６１で連結され、このオイル管６１にはキャピラリーチューブ（絞り）６２が設けられている。
【００１１】
各圧縮機２０Ａ、２０Ｂ１、２０Ｂ２は、並列接続され、各圧縮機２０Ａ、２０Ｂ１、２０Ｂ２の吸込口に共通接続された吸込管３０が、アキュムレーター２４を介して低圧ガス管６に接続される。また、各圧縮機２０Ａ、２０Ｂ１、２０Ｂ２の吐出口に接続された吐出管３１は、オイルセパレーター２５を経て延出し、２つに分岐し、一方の冷媒吐出分岐管３１Ａが高圧ガス管７に接続され、他方の冷媒吐出分岐管３１Ｂが室外熱交換器２１に接続されている。
【００１２】
ここで、上記冷媒吐出分岐管３１Ｂには、切換弁４０が設けられ、この切換弁４０が開くと、圧縮機２０の吐出冷媒が、室外熱交換器２１に供給される。
上記切換弁４０と室外熱交換器２１の間には、一つのポートＡが塞がれた、四方弁４１が設けられ、この四方弁４１は、室外熱交換器２１の一端と、切換弁４０につながる管路３１Ｂとを連通し、或いは、室外熱交換器２１の一端と、圧縮機２０の吸込管３０につながる管路３２とを連通する。
【００１３】
室外熱交換器２１の他端は、室外熱交換器２１に供給する冷媒流量を調整するための膨張弁２６、レシーバータンク２３、及び補助冷却回路２８を介して液管８と配管接続されている。補助冷却回路２８は、レシーバータンク２３と液管８とを接続する冷媒配管３３を流れる液冷媒を補助冷却するものであり、より具体的には、レシーバータンク２３と液管８との間の液冷媒が通る配管３３の一部と、この配管３３から分岐して膨張弁２９を通過した冷媒が通る分岐管３４の一部とを２重管で構成した、２重管式熱交換器である。膨張弁２９を通過した冷媒が通る分岐管３４は、補助冷却回路２８に接続された冷媒配管３５を介して圧縮機２０の吸込管３０とつながり、この分岐管３４、３５を通過した冷媒は圧縮機２０の吸込口に戻される。
【００１４】
また、オイルセパレーター２５には、オイルセパレーター２５に溜められたオイル量が所定量以上の場合に、余剰のオイル（潤滑油）を圧縮機２０の吸込管３０に戻す冷媒戻し管４５と、当該オイルセパレーター２５と他の室外ユニット２Ｂのオイルセパレーター２５とを接続するためのオイルバランス管４６とが接続される。このオイルバランス管４６は、開閉弁４６Ａを備え、図１に示すように、オイル管４７を介して他の室外ユニット２Ｂのオイルセパレーター２５と接続されると共に、このオイルバランス管４６から分岐する分岐管４５Ａを介して冷媒戻し管４５に接続される。この分岐管４５Ａには、開閉弁４５Ｂが設けられる。このため、開閉弁４６Ａが開き、開閉弁４５Ｂが閉じると、オイルセパレーター２５に貯留されたオイルが他の室外ユニット２Ｂに供給され、開閉弁４６Ａが閉じ、開閉弁４５Ｂが開くと、他の室外ユニット２Ｂから供給されたオイルが分岐管４５Ａを介して冷媒戻し管４５に供給され、これによって、室外ユニット２Ａ、２Ｂ間をオイルが行き来可能に構成されている。
【００１５】
１００は、室外制御装置である。
この空気調和装置１は、図示を省略したリモートコントローラーを備え、室外ユニット２Ａ、２Ｂのいずれかの室外制御装置１００が、リモートコントローラーを介して入力したユーザ指示等に応じて、他の室外制御装置１００や室内制御装置と通信し、この空気調和装置１全体の運転制御を行う。
【００１６】
全ての室内ユニット３Ａ、３Ｂを同時に冷房運転する場合、各室外ユニット２Ａ、２Ｂでは、切換弁４０が開くと共に四方弁４１が切換制御され、また、各室内ユニット３Ａ、３Ｂでは第１開閉弁１３が閉じ、第２開閉弁１４が開く。この場合、図１に実線矢印で示すように、圧縮機２０の吐出冷媒が、オイルセパレーター２５を介して室外熱交換器２１に供給され、ここで放熱・凝縮して液冷媒となり、レシーバータンク２３及び補助冷却回路２８を経て液管８に供給される。
そして、室内ユニット３Ａ、３Ｂにおいては、液管８を介して液冷媒が膨張弁１１を介して室内熱交換器１０に供給され、ここで吸熱・蒸発し、低温低圧のガス冷媒となり、第２開閉弁１４を介して低圧ガス管６に供給される。
この低圧ガス管６に供給されたガス冷媒は、室外ユニット２Ａ、２Ｂの吸込管３０を介して圧縮機２０で再び圧縮される。これによって、全ての室内ユニット３Ａ、３Ｂで同時に冷房運転が可能になる。
【００１７】
一方、全ての室内ユニット３Ａ、３Ｂを同時に暖房運転する場合、各室外ユニット２Ａ、２Ｂでは、切換弁４０が閉じると共に四方弁４１が切換制御され、各室内ユニット３Ａ、３Ｂでは第１開閉弁１３が開き、第２開閉弁１４が閉じる。この場合、図１に破線矢印で示すように、圧縮機２０が吐出した高温高圧のガス冷媒が、オイルセパレーター２５を介して高圧ガス管７に供給される。そして、室内ユニット３Ａ、３Ｂにおいては、高圧ガス管７を介してガス冷媒が室内熱交換器１０に供給され、ここで、放熱・凝縮して液冷媒となった後、膨張弁１１を介して液管８に供給される。この液管８に供給された液冷媒は、室外ユニット２Ａ、２Ｂの冷媒配管３３及びレシーバータンク２３を介して室外熱交換器２１に供給され、ここで、吸熱・蒸発し、ここで低温低圧のガス冷媒となり、吸込管３０を介して圧縮機２０で再び圧縮される。これによって、全ての室内ユニット３Ａ、３Ｂで同時に暖房運転が可能になる。
【００１８】
また、暖房運転と冷房運転の混在運転を行う場合、例えば、室内ユニット３Ａを暖房運転し、室内ユニット３Ｂを冷房運転する場合、室外ユニット２Ａ、２Ｂが上記同時暖房運転の場合と同様に制御される一方、室内ユニット３Ａにおいては、第１開閉弁１３が閉じ、第２開閉弁１４が開き、室内ユニット３Ｂにおいては、第１開閉弁１３が開き、第２開閉弁１５が閉じる。この場合、各室外ユニット２Ａ、２Ｂから高温高圧のガス冷媒が高圧ガス管７に供給され、室内ユニット３Ａにおいては、高圧ガス管７を介してガス冷媒が室内熱交換器１０に供給され、ここで放熱・凝縮して液冷媒となった後、膨張弁１１を介して液管８に供給される。この液管８に供給された液冷媒の一部は室外ユニット２Ａ、２Ｂへ戻り、室外熱交換器２１で吸熱・蒸発し、低温低圧のガス冷媒となる。
【００１９】
一方、液管８に供給された液冷媒の残りは、室内ユニット３Ｂの室内熱交換器１０に供給され、ここで吸熱・蒸発し、低温低圧のガス冷媒となった後、第２開閉弁１４を介して低圧ガス管６に供給される。
そして、低圧ガス管６に供給された冷媒は、室外熱交換器２１を経た上記ガス冷媒と共に、吸込管３０を介して圧縮機２０で再び圧縮される。これによって、室内ユニット３Ａ、３Ｂ毎に暖房運転と冷房運転とが可能になる。
【００２０】
図３に、本実施形態における被梱包体である室外ユニット２を示す。この矩形の室外ユニット２はドレンパン６０によって上段の熱交換室２００と下段の機械室３００とに仕切られている。
【００２１】
下段の機械室３００には、配置構成の図示は省略したが、上述した圧縮機２０、アキュムレーター２４、電気部品、四方弁４１等が配置されている。図４に示すように、機械室３００の上部に位置するドレンパン６０は、板金成形による複数の四角柱６５により支持されており、これらは、機械室３００の整備性を考慮し、適宜の配列で底板６６に配置されている。さらにこの底板６６は、底板６６裏側の１組の対辺に設けられたＬ字形状の据付脚６７によって支持されている。また、機械室３００の外周は、雨等から機械室３００を保護する外装パネル６８により形成されている。
【００２２】
上段の熱交換室２００の外周には、フィンアンドチューブ式の室外熱交換器２１の、フィンの端面が露出し、この熱交換器２１が当該外周の開口部を塞ぐようにして吸気口８１を構成している。熱交換室２００に配置された室外熱交換器２１は、上方から見てＬ字形となるように曲がっており、このＬ字形の室外熱交換器２１が２枚で組になって、それぞれ熱交換室２００の４つの吸気口８１を２つずつ覆う構成となっている。
【００２３】
熱交換室２００の上部はその中央に排気口８２を形成した天板６３により構成され、熱交換室２００の下部は上述したドレンパン６０により構成される。
【００２４】
排気口８２には送風機６４が設けられており、この送風機６４は送風機支持部６９によって天板６３に固定されている。また、排気口８２はファンガード６４Ａによって覆われている。送風機６４によって、吸気口８１から吸い込まれた外気は、室外熱交換器２１を介して、室外熱交換器２１の内部を流れる冷媒と熱交換を行う。そして、室外熱交換器２１と熱交換を行った外気は、上部に設けられた排気口８２から、送風機６４によって大気へと放出される。
【００２５】
天板６３の周縁は下向きに直角に折り曲げられ、その下方に配置された室外熱交換器２１の上部に若干被ることにより、吸気口８１の上端枠部６３Ａを形成している。
【００２６】
ドレンパン６０は、熱交換室２００の吸気口８１及び排気口８２から浸入する雨水や、暖房運転中の室外ユニット２の徐霜運転時に室外熱交換器２１から滴下するドレン水を集め、排水ダクト（図示せず）へと流す役割を持っている。
このドレンパン６０の周縁は上向きに直角に折り曲げられ、その上方に配置された室外熱交換器２１の下部に若干被ることにより、吸気口８１の下端枠部６０Ａを形成している。
【００２７】
図５に、室外ユニット２を梱包する際に、吸気口８１を閉塞するのに用いるパネル７０を示す。
このパネル７０は、縦寸法Ｌ（図６）と横寸法Ｗによる一枚の矩形ダンボール板により形成されており、それぞれの寸法は、縦寸法Ｌが熱交換器２１の高さと同程度の大きさであり、横寸法Ｗが吸気口８１の幅と同程度の大きさである。
そして、ダンボール板の上部には、このダンボール板の目と垂直になる向きに屈曲部７１を設ける。
【００２８】
パネルの屈曲部７１を境にして、上側を上部パネル７２、下側を下部パネル７３とする。この下部パネル７３の両端にそれぞれ取っ手７５を設ける。この取っ手７５は、下部パネル７３の同じ辺に２つの切り込み７４を入れ、切り込み７４に挟まれた部分を手前に折り曲げることにより形成する。従って、切り込み７４の深さＤと間隔Ｉとは、切り込み７４に挟まれた部分を折り曲げたときに取っ手７５として十分に機能するような寸法（例えば、深さＤ：４ｃｍ、間隔Ｉ：８ｃｍ）とする。また、図示は省略したが、取っ手７５の近傍には作業要領（例えば、ＰＵＬＬ  ＯＦＦ）が表記されている。
【００２９】
図６を参照し、室外ユニット２の吸気口８１へのパネル７０の取り付け及び取り外し方法について説明する。
室外ユニット２にパネル７０を取り付けるには、作業者は先ず、パネル７０Ａの下端７７を吸気口８１の下端枠部６０Ａと熱交換器２１との間に挟む。次に、上部パネル７２を屈曲部７１で折り曲げ、パネル上端７６を吸気口８１の上端枠部６３Ａと熱交換器２１との間に挟み、矢印Ｘに示すようにパネル７０Ａを押し込む。すると、パネル７０Ａの屈曲部７１の有する弾性力により、上部パネル７２と下部パネル７３とがほぼ真直に保たれ、パネル７０Ｂに示すように、吸気口８１がパネル７０Ｂによって閉塞された状態となる。
【００３０】
吸気口８１を閉塞している状態のパネル７０Ｂは、上端枠部６３Ａと熱交換器２１との間及び、下端枠部６０Ａと熱交換器２１との間に挟まることによって支持される。このとき、上部パネル７２と下部パネル７３とが真直となったときの寸法を、吸気口８１の天板６３の下面とドレンパン６０の上面との間隔に限りなく近づけることにより、熱交換器２１の吸気口８１から露出している部分はほぼ完全に閉塞されるだけでなく、パネル上端７６と上端枠部６３Ａの下端との距離が大きくなり、室外ユニット２の輸送中にパネル７０Ｂが外れ難くなる。
【００３１】
また、上端枠部６３Ａと下端枠部６０Ａとの間隔は、パネル７０の真直時の縦寸法よりも小さいため、パネル７０を吸気口８１に取り付けるには、室外ユニット２の左側のパネル７０Ａに示すように、上部パネル７２を屈曲部７１で折り曲げて、上端枠部６３Ａと下端枠部６０Ａとの間を通れるようにしなくてはならない。従って、パネル７０を吸気口８１に取り付けるためには、パネル７０の屈曲部７１の位置は、下部パネル７３の縦寸法が、ドレンパン６０の上面と吸気口８１の上端枠部６３Ａとの間隔よりも小さくなるように形成されなくてはならない。ただし、厳密にはこの寸法は、吸気口８１の上端枠部６３Ａまたは下端枠部６０Ａと熱交換器２１との間隔や、パネル７０の厚みによって多少の差異を有する。
【００３２】
しかし、吸気口８１に取り付けられた状態のパネル７０Ｂが傾き、パネル７０Ｂの自重により吸気口８１の上端枠部６３Ａから反力を受ける事が考えられるが、このとき上部パネル７２の縦寸法が小さい（下部パネル７３の縦寸法が大きい）方が、屈曲部７１にかかるモーメントは小さくなるので折れ曲がり難い。
【００３３】
さらに、上部パネル７２の縦寸法が小さいことにより、例え、上部パネル７２の縦寸法が大きいパネル７０と、屈曲部７１にかかるモーメントが等しく、折れ曲がり具合が等しい場合であっても、上部パネル７２の縦寸法が小さい方が、上部パネルの屈曲部７１を支点とした回転移動によるパネル上端７６の縦方向の移動量は少ない。従って、パネル上端７６とパネル下端７７との間隔の減少量も少ないため、パネル上端７６は吸気口８１の上端枠部６３Ａから外れ難くなる。
【００３４】
室外ユニット２に取り付けられたパネル７０Ｂを取り外すには、作業者はパネル７０Ｂの左右に位置する取っ手７５を掴み、パネル７０Ｂの鉛直方向に取っ手７５を引くだけでよい。取っ手７５が引っ張られることによって、上部パネル７２が吸気口８１の上端枠部６３Ａに引っ掛かり、上部パネル７２が吸気口８１の上端枠部６３から反力を受け、パネル７０Ｂが屈曲部７１で折れ曲がることによりパネル７０Ａの状態となり、パネル上端７６とパネル下端７７との間隔が、吸気口８１の縦寸法よりも小さくなり取り外すことができる。
【００３５】
このとき、パネル７０Ｂの取り外しは、吸気口８１の下端枠部６０Ａと熱交換器２１との間に挟まれたパネル下端７７を支点とし、この支点を中心に下部パネル７３を回転させるようにして行う。従って、取っ手７５の位置は、作業者の作業し易い範囲で、下部パネル７３の可能な限り上の方に設けた方が、より小さな力で取り外すことが可能となる。ただし、取っ手７５の位置を屈曲部７１に近づけ過ぎると、下部パネル７３の屈曲部７１周辺の剛性が落ちてしまうため、パネル７０を吸気口８１に取り付けたときに、上部パネル７２と下部パネル７３とを真直に保ち難くなる。
【００３６】
図７に室外ユニット２の梱包時の様子を示す。
室外ユニット２の梱包の際には、上述したパネル７０Ｂによって４つの吸気口８１が全て閉塞され、この上から、室外ユニット２の天部から底部にかけて、ポリエチレン等により形成されたシート８３を被せられる。さらにこのシート８３を被せられた室外ユニット２は、据付脚６７に２つずつ設けられた据付脚開口部６７Ａの、２つの対向する据付脚開口部６７Ａと天板６３の上面とを、ファンガード６４Ａ及び排気口８２を避けるようにしてバンド８４で縛られる。
【００３７】
以上、一実施形態に基づいて本発明を説明したが、本発明はこれに限定されるものではない。例えば、実施形態ではパネル７０をダンボール板により形成したが、弾性力を有する板状のものであればダンボール板でなくともよい。実施形態ではパネル７０の一部を屈曲部７１としているが、パネル７０全体が屈曲部７１となることにより、パネル７０全体が湾曲してもよい。実施形態では取っ手７５をパネル７０の左右両端に設けたが、パネル７０の中央等その他の部分に取っ手を備えてもよい。実施形態ではパネル７０自体の構成部材を用いて取っ手７５を形成したが、パネル７０を吸気口８１から引っ張り出すことのできるものであれば、紐や樹脂製の取っ手等、別部材により構成される取っ手を設けてもよい。
【図面の簡単な説明】
【００３８】
【図１】空気調和装置の一実施の形態を示す回路図である。
【図２】室外ユニットの構成を示す回路図である。
【図３】室外ユニットの斜視図である。
【図４】室外ユニットの断面図である。
【図５】パネル及び室外ユニットの斜視図である。
【図６】パネル及び室外ユニットの断面図である。
【図７】室外ユニットの梱包時の斜視図である。
【符号の説明】
【００３９】
２  室外ユニット
２１  熱交換器
６０  ドレンパン
６０Ａ  下端枠部（下枠）
６３  天板
６３Ａ  上端枠部（上枠）
７０  パネル（ダンボール板）
７１  屈曲部
７５  取っ手
７６  パネル上端（ダンボール板の上端）
８３  シート
８４  バンド
【図１】
2006123956.tif 000003
【図２】
2006123956.tif 000004
【図３】
2006123956.tif 000005
【図４】
2006123956.tif 000006
【図５】
2006123956.tif 000007
【図６】
2006123956.tif 000008
【図７】
2006123956.tif 000009